(57)【要約】【課題】回路基板に実装したときに基板固定用脚部の半田付け部に過剰な応力が発生しないようにし、半田付け部にクラックが発生しないようにしたレセプタクルのシールドケースを提供する。【解決手段】前方に向けて開口したプラグ挿入用の開口部２２を有し該開口部に挿入されたプラグ１００の嵌合部を包囲するように天板部２１Ａと底板部２１Ｂと左右側板部とを有した角筒形状のシールドケース本体２１と、左右側板部の下部に底板部の下面よりも下方に突出するように設けられた基板固定用脚部２３、２４とを有するシールドケース２０において、底板部の下面の基板固定用脚部よりもプラグ挿入用の開口部に近い位置で左右幅方向に互いに離間した少なくとも２箇所に、回路基板に基板固定用脚部を半田付けしてレセプタクル１を実装したときに、回路基板の上面に弾性接触することで、基板固定用脚部への応力を緩和するバネ凸部２５が設けられている。【選択図】図３
2012146455.tif 000002
【特許請求の範囲】
【請求項１】
前方に向けて開口したプラグ挿入用の開口部を有し該開口部に挿入されたプラグの嵌合部を包囲するように天板部と底板部と左右側板部とを有した角筒形状のシールドケース本体と、前記左右側板部の下部に前記底板部の下面よりも下方に突出するように設けられた突片と、を備え、該突片が、回路基板に前記レセプタクルを実装するときに回路基板にレセプタクルを固定するための基板固定用脚部とされた、プラグと接続されるレセプタクルのシールドケースであって、
前記底板部の下面の前記基板固定用脚部よりも前記プラグ挿入用の開口部に近い位置で左右幅方向に互いに離間した少なくとも２箇所に、前記回路基板に前記基板固定用脚部を半田付けして前記レセプタクルを実装したときに、前記回路基板の上面に弾性接触することで、前記基板固定用脚部への応力を緩和するバネ凸部が設けられていることを特徴とするレセプタクルのシールドケース。
【発明の詳細な説明】
【技術分野】
【０００１】
本発明は、プラグと接続されるレセプタクル（レセプタクルコネクタとも呼ばれる）のシールドケース（シェルとも呼ばれる）に関するものである。
【背景技術】
【０００２】
図５及び図６は特許文献１に記載された従来例のレセプタクルの構成を示す図である。
このレセプタクル２００は、複数のコンタクトを２４０を保持したハウジング２１０と、ハウジング２１０に固定されたシールドケース２２０とを備える。
【０００３】
シールドケース２２０は、前方に向けて開口したプラグ挿入用の開口部２２２を有し該開口部２２２に挿入されたプラグの嵌合部を包囲するように天板部２２１Ａと底板部２２１Ｂと左右側板部２２１Ｃとを有した角筒形状のシールドケース本体２２１と、該シールドケース本体２２１の左右側板部２２１Ｃの下部に前記底板部２２１Ｂの下面よりも下方に突出するように設けられた突片２２３、２２４と、を具備しており、該突片２２３、２２４が、回路基板（図示略）にレセプタクル２００を実装するときに回路基板にレセプタクル２００を固定するための基板固定用脚部（以下、基板固定用脚部も突片と同じ符号２２３、２２４で示す）とされている。
【先行技術文献】
【特許文献】
【０００４】
【特許文献１】特開２００７−１５７３７８号公報
【発明の概要】
【発明が解決しようとする課題】
【０００５】
ところで、このレセプタクル２００を回路基板に実装する場合、シールドケース２２０の基板固定用脚部２２３、２２４を回路基板に半田付けすることで固定しているが、固定した状態でシールドケース２２０の底板部２２１Ｂの下面と回路基板の上面との間に隙間がある場合、レセプタクル２００の開口部２２２にプラグを中途嵌合した状態でこじった際に、基板固定用脚部２２３、２２４の半田付け部に過剰な応力が発生し、半田付け部にクラックが発生するおそれがあることが分かった。
【０００６】
本発明は、上述した事情に鑑みてなされたものであり、その目的は、回路基板に実装したときに基板固定用脚部の半田付け部に過剰な応力が発生しないようにし、半田付け部にクラックが発生しないようにしたレセプタクルのシールドケースを提供することにある。
【課題を解決するための手段】
【０００７】
前述した目的を達成するために、本発明に係るレセプタクルのシールドケースは、下記（１）を特徴としている。
（１）  前方に向けて開口したプラグ挿入用の開口部を有し該開口部に挿入されたプラグの嵌合部を包囲するように天板部と底板部と左右側板部とを有した角筒形状のシールドケース本体と、前記左右側板部の下部に前記底板部の下面よりも下方に突出するように設けられた突片と、を備え、該突片が、回路基板に前記レセプタクルを実装するときに回路基板にレセプタクルを固定するための基板固定用脚部とされた、プラグと接続されるレセプタクルのシールドケースであって、
前記底板部の下面の前記基板固定用脚部よりも前記プラグ挿入用の開口部に近い位置で左右幅方向に互いに離間した少なくとも２箇所に、前記回路基板に前記基板固定用脚部を半田付けして前記レセプタクルを実装したときに、前記回路基板の上面に弾性接触することで、前記基板固定用脚部への応力を緩和するバネ凸部が設けられていること。
【０００８】
上記（１）の構成のレセプタクルのシールドケースによれば、底板部の下面の基板固定用脚部よりもプラグ挿入用の開口部に近い位置で左右幅方向に互いに離間した少なくとも２箇所に、回路基板の上面に弾性接触することで基板固定用脚部への応力を緩和するバネ凸部が設けられているので、プラグを開口部に中途挿入した状態でこじった場合にも、バネ凸部でそのこじり力を吸収することができ、基板固定用脚部に無理な応力が発生しないようにすることができて、基板固定用脚部の半田付け部のクラックの発生を防ぐことができる。
【発明の効果】
【０００９】
本発明によれば、回路基板に実装したときに基板固定用脚部の半田付け部に過剰な応力が発生しないようにすることができ、同脚部の半田付け部にクラックが発生しないようにすることができる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本発明の実施形態のシールドケースを用いたレセプタクルの分解斜視図である。
【図２】本発明の実施形態のシールドケースを用いたレセプタクルの外観構成図で、図２（ａ）は上からみた斜視図、図２（ｂ）は裏返して見た斜視図である。
【図３】本発明の実施形態のシールドケースを用いたレセプタクルにプラグを中途嵌合してこじった場合にバネ凸部がそのこじり力を吸収している状態を示す図であって、図３（ａ）は同レセプタクルにプラグを中途嵌合してこじった場合にバネ凸部がそのこじり力を吸収している状態を示す側断面図、図３（ｂ）はその要部拡大側断面図である。
【図４】バネ凸部がない場合の比較例を示す要部拡大側断面図である。
【図５】従来のレセプタクルの構成を示す斜視図である。
【図６】同レセプタクルの側断面図である。
【発明を実施するための形態】
【００１２】
以下、本発明の実施形態を図面を参照して説明する。
図１は実施形態のシールドケースを用いたレセプタクルの分解斜視図、図２は同レセプタクルの外観構成図で、図２（ａ）は上からみた斜視図、図２（ｂ）は裏返して見た斜視図、図３（ａ）は同レセプタクルにプラグを中途嵌合してこじった場合にバネ凸部がそのこじり力を吸収している状態を示す側断面図で、図３（ｂ）はその要部拡大側断面図である。
【００１３】
このレセプタクル１は、プラグ１００（図３参照）と接続されるもので、上下段の複数のコンタクト４０と、これらコンタクト４０を保持するハウジング１０と、ハウジング１０に装着固定されるシールドケース２０とを備えている。ハウジング１０は、ハウジング本体１１から前側に突出する薄板状のインシュレータ部１２を有しており、そのインシュレータ部１２の上面と下面に形成された端子配列溝１３に、ハウジング本体１１に圧入した上段と下段のコンタクト４０の先端側の電気接触部がそれぞれ挿入セットされるようになっている。
【００１４】
シールドケース２０は、前方に向けて開口したプラグ挿入用の開口部２２を有し該開口部２２に挿入されたプラグの嵌合部を包囲するように天板部２１Ａと底板部２１Ｂと左右側板部２１Ｃとを有した角筒形状のシールドケース本体２１と、該シールドケース本体２１の左右側板部２１Ｃの下部に前記底板部２１Ｂの下面よりも下方に突出するように設けられた突片２３、２４と、を具備しており、該突片２３、２４が、回路基板８０（図３参照）にレセプタクル１を実装するときに回路基板にレセプタクル１を固定するための基板固定用脚部（以下、基板固定用脚部も突片と同じ符号２３、２４で示す）とされている。
【００１５】
また、天板部２１Ａと底板部２１Ｂと左右側板部２１Ｃには、プラグ挿入用の開口部２２にプラグ１００が嵌合されたとき、プラグ１００側のシールドケースに弾性接触して導通するバネ凸部２５が設けられている。さらに、底板部２１Ｂの下面の基板固定用脚部２３、２４よりもプラグ挿入用の開口部２２に近い位置で、左右幅方向に互いに離間した２箇所には、回路基板８０に基板固定用脚部２３、２４を半田付けしてレセプタクル１を実装したときに、回路基板８０の上面に弾性接触することで、基板固定用脚部２３、２４への応力を緩和するバネ凸部２５が設けられている。
【００１６】
これらバネ凸部２５は、図３に示すように、レセプタクル１を回路基板８０に実装したとき、回路基板８０のできるだけ前端側に位置するように設けられており、回路基板８０の上面に弾性接触するようになっている。従って、図３のようにプラグ１００を開口部２２に中途挿入した状態でこじった場合、バネ凸部２５でそのこじり力を吸収することができ、基板固定用脚部２３、２４に無理な応力が発生しないようにすることができ、基板固定用脚部２３、２４の半田付け部のクラックの発生を防ぐことができる。
【００１７】
ちなみに、図４に示すように、バネ凸部がない場合（図中二点鎖線の円で示す箇所に図３で示したバネ凸部２５がない場合）は、シールドケース２０の底板部２１Ｂの下面と回路基板８０の上面との間に隙間ｄがあることによって、プラグ１００からこじり力が加えられた際にシールドケース２０が隙間ｄ分だけ変形し、その変形による応力が基板固定用脚部２３の半田付け部に作用する。従って、基板固定用脚部２３の半田付け部にクラックが発生する可能性がある。
【００１８】
これに対し、本実施形態のレセプタクル１では、シールドケース２０の底板部２１Ｂに２つのバネ凸部２５があることによって、それを防ぐことができる。ここで、バネ凸部２５は１つだけでも、ある程度の機能を果たすことはできるかもしれないが、左右のバランスを考えると最低２個は必要である。これら２個のバネ凸部２５がバランス良くプラグ１００からのこじり力を吸収することで、左右の基板固定用脚部２３の応力を緩和することができる。従って、回路基板８０にレセプタクル１を実装した場合の左右の基板固定用脚部２３の半田付け部の品質を保つことができ、耐久性の向上を図ることができる。
【００１９】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２０】
１  レセプタクル
２０  シールドケース
２１  シールドケース本体
２１Ａ  天板部
２１Ｂ  底板部
２１Ｃ  側板部
２２  プラグ挿入用の開口部
２３，２４  基板固定用脚部（突片）
２５  バネ凸部
【図１】
2012146455.tif 000003
【図２】
2012146455.tif 000004
【図３】
2012146455.tif 000005
【図４】
2012146455.tif 000006
【図５】
2012146455.tif 000007
【図６】
2012146455.tif 000008